(57)【特許請求の範囲】
【請求項１】
指向性を有する音声を出力させる音声出力部が回転可能な音声出力装置と、
音声を出力していない期間の前記音声出力部の向きと、対象人物が存在する方向を向いた後に、当該対象人物に対して指向性を有する音声を出力する場合の前記音声出力部の向きと、の間の回転量に基づいて定められた、音声を出力していない期間の前記音声出力部が向く角度を示す基準角情報を記憶する記憶部と、
前記基準角情報で示される角度から第１の角度を向かせる第１の制御情報を前記音声出力装置に送信し、前記音声出力装置の前記音声出力部が当該第１の角度を向いた後に出力する音声を示す情報を前記音声出力装置に送信し、前記音声出力部を前記基準角情報で示される角度まで回転させる第２の制御情報を前記音声出力装置に送信する送信部と、を備え、
前記記憶部が記憶する前記基準角情報は、前記音声を出力した時に前記音声出力部が向いていた角度の履歴に基づいて定められる、
情報処理システム。
【請求項２】
前記記憶部が記憶する前記基準角情報は、前記音声出力部が向いていた角度の履歴として、所定の期間に、前記音声を出力した時に前記音声出力部が向いていた角度の頻度に基づいて定められる、
請求項１に記載の情報処理システム。
【請求項３】
前記記憶部が記憶する前記基準角情報は、前記音声出力部の角度の履歴として、所定の期間に、前記音声を出力した時に前記音声出力部が向いた角度の平均値に基づいて定められる、
請求項１に記載の情報処理システム。
【請求項４】
指向性を有する音声を出力させる音声出力部が回転可能な音声出力装置において、音声を出力していない期間の前記音声出力部の向きと、対象人物が存在する方向を向いた後に、当該対象人物に対して指向性を有する音声を出力する場合の前記音声出力部の向きと、の間の回転量に基づいて定められた、音声を出力していない期間に前記音声出力部が向く角度を示す基準角情報を記憶する記憶部と、
前記基準角情報で示される角度から第１の角度を向かせる第１の制御情報を前記音声出力装置に送信し、前記音声出力装置の前記音声出力部が当該第１の角度を向いた後に出力する音声を示す情報を前記音声出力装置に送信し、前記音声出力部を前記基準角情報で示される角度まで回転させる第２の制御情報を前記音声出力装置に送信する送信部と、を備え、
前記記憶部が記憶する前記基準角情報は、前記音声を出力した時に前記音声出力部が向いていた角度の履歴に基づいて定められる、
情報処理装置。
【発明の詳細な説明】
【技術分野】
【０００１】
本発明の実施形態は、情報処理システム、及び情報処理装置に関する。
【背景技術】
【０００２】
従来から、所定の領域内に設けられた監視カメラからの撮像画像データを取得し、当該撮像画像データに写っている人物が不審者であるか否かを判定するシステムが提案されている。
【先行技術文献】
【特許文献】
【０００３】
【特許文献１】特開２０１２−７９３４０号公報
【発明の概要】
【発明が解決しようとする課題】
【０００４】
監視システムにおいては、不審者に対して様々な情報を出力することで、不審者に対して注意を促すことが提案されている。例えば、不審者に対して、音声を出力する技術が考えられる。そして、不審者に対して音声を出力する際、出力する音声に指向性を持たせることで、不審者に対して適切に注意を促すことが可能となる。
【０００５】
しかしながら、音声を出力する音声出力装置に指向性を持たせる場合に、不審者が存在する方向に音声出力装置が向くように制御を行う必要がある。このような制御が頻繁に行われると、音声出力装置の寿命が短くなると考えられる。
【０００６】
そこで、本発明は、上記事情に鑑みてなされたものであり、音声出力装置の寿命が短くなるのを抑止する情報処理システム、及び情報処理装置を提供することを目的とする。
【課題を解決するための手段】
【０００７】
本発明の第１態様に係る情報処理システムは、指向性を有する音声を出力させる音声出力部が回転可能な音声出力装置と、音声を出力していない期間の音声出力部の向きと、対象人物が存在する方向を向いた後に、当該対象人物に対して指向性を有する音声を出力する場合の音声出力部の向きと、の間の回転量に基づいて定められた、音声を出力していない期間の音声出力部が向く角度を示す基準角情報を記憶する記憶部と、基準角情報で示される角度から第１の角度を向かせる第１の制御情報を音声出力装置に送信し、音声出力装置の音声出力部が当該第１の角度を向いた後に出力する音声を示す情報を音声出力装置に送信し、音声出力部を基準角情報で示される角度まで回転させる第２の制御情報を音声出力装置に送信する送信部と、を備え、記憶部が記憶する基準角情報は、音声を出力した時に音声出力部が向いていた角度の履歴に基づいて定められる。
【０００９】
また、本発明の第１態様に係る情報処理システムにおいては、記憶部が記憶する基準角情報は、音声出力部が向いていた角度の履歴として、所定の期間に、音声を出力した時に音声出力部が向いていた角度の頻度に基づいて定められる。
【００１０】
また、本発明の第１態様に係る情報処理システムにおいては、記憶部が記憶する基準角情報は、音声出力部の角度の履歴として、所定の期間に、音声を出力した時に音声出力部が向いた角度の平均値に基づいて定められる。
【００１１】
本発明の第２態様に係る情報処理装置は、指向性を有する音声を出力させる音声出力部が回転可能な音声出力装置において、音声を出力していない期間の音声出力部の向きと、対象人物が存在する方向を向いた後に、当該対象人物に対して指向性を有する音声を出力する場合の音声出力部の向きと、の間の回転量に基づいて定められた、音声を出力していない期間に音声出力部が向く角度を示す基準角情報を記憶する記憶部と、基準角情報で示される角度から第１の角度を向かせる第１の制御情報を音声出力装置に送信し、音声出力装置の音声出力部が当該第１の角度を向いた後に出力する音声を示す情報を音声出力装置に送信し、音声出力部を基準角情報で示される角度まで回転させる第２の制御情報を音声出力装置に送信する送信部と、を備え、記憶部が記憶する基準角情報は、音声を出力した時に音声出力部が向いていた角度の履歴に基づいて定められる。
【図面の簡単な説明】
【００１２】
【図１】図１は、第１の実施形態の不審者検出システムの構成を例示した図である。
【図２】図２は、第１の実施形態の指向性スピーカの外観を例示した図である。
【図３】図３は、第１の実施形態の指向性スピーカの内部構成を例示した図である。
【図４】図４は、第１の実施形態にかかる、指向性スピーカと、中継装置と、ホスト装置と、のソフトウェア構成を例示した図である。
【図５】図５は、第１の実施形態の指向性スピーカの垂直方向の角度を例示した図である。
【図６】図６は、第１の実施形態の履歴情報データベースに記憶されている、音声を出力させる際に音声出力部を向かせた角度の頻度を例示した図である。
【図７】図７は、基準角０°が設定された際に、図６で示された角度の頻度の場合の回転移動量を説明した図である。
【図８】図８は、基準角５０°が設定された際に、図６で示された角度の頻度の場合の回転移動量を説明した図である。
【図９】図９は、第１の実施形態のホスト装置における、指向性スピーカの音声出力部を制御する際の処理手順を示したフローチャートである。
【図１０】図１０は、第１の実施形態のホスト装置における、基準角の設定手順を示したフローチャートである。
【図１１】図１１は、第１の実施形態の変形例の履歴情報データベースに記憶されている、音声を出力させる際に音声出力部を向かせた角度の頻度を例示した図である。
【図１２】図１２は、第２の実施形態の履歴情報記憶部の履歴情報データベースに記憶されている、音声を出力させる際に音声出力部を向かせた指示角の履歴を例示した図である。
【図１３】図１３は、第２の実施形態のホスト装置における、基準角の設定手順を示したフローチャートである。
【図１４】図１４は、第２の実施形態の指向性スピーカの稼働領域を例示した図である。
【図１５】図１５は、壁近傍に設けられた指向性スピーカに基準角０°が設定された際の回転移動量を例示した図である。
【図１６】図１６は、壁近傍に設けられた指向性スピーカに基準角４５°が設定された際の回転移動量を例示した図である。
【発明を実施するための形態】
【００１３】
以下、添付図面を参照して、情報処理システム、及び情報処理装置の実施形態について詳細に説明する。本実施形態は、情報処理システム、及び情報処理装置を、不審者検出システムに適用した例について説明する。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果（派生的な効果も含む）のうち少なくとも一つを得ることが可能である。
【００１４】
（第１の実施形態）
図１は、第１の実施形態の不審者検出システム１の構成を例示した図である。図１に示される不審者検出システム１は、例えば、小売り業等の店舗に入った人物を撮像して得られた撮像画像データに基づいて、当該人物が不審者か否かを判定し、不審者と判定された場合に、当該不審者に対して音声を出力する。これにより、不審者検出システム１は、不審者に対して注意を促し、不審な行為を行うことを抑止する。
【００１５】
不審者検出システム１は、ホスト装置１００と、中継装置１２０と、ハブ（Ｈｕｂ）１３０と、指向性スピーカ１５０−１〜１５０−４と、監視カメラ１６０−１〜１６０−２と、を備えている。ホスト装置１００、中継装置１２０、及びハブ１３０は、例えば店舗のバックヤード等に設置され、指向性スピーカ１５０−１〜１５０−４と、監視カメラ１６０−１〜１６０−２とは、例えば店舗の売り場等に設置されている。監視カメラ１６０−１〜監視カメラ１６０−２は、ハブ１３０を介して、ホスト装置１００とＬＡＮ等の第１の通信ネットワークで通信可能に接続されている。また、指向性スピーカ１５０−１〜１５０−４は、中継装置１２０を介して、ホスト装置１００と通信可能に接続されている。
【００１６】
監視カメラ１６０−１〜１６０−２（以下、監視カメラ１６０とも示す）は、カラーの２次元画像データを撮像可能なエリアカメラ（エリアセンサ）として構成されている。監視カメラ１６０は、店舗の売り場を撮像し、当該撮像して得た撮像画像データを、ハブ１３０を介してホスト装置１００に送信する。本実施形態においては、売り場に設置される監視カメラ１６０の数が２個の場合とするが、売り場に設けられるカメラの数を制限するものではなく、１個でもよいし、３個以上であってもよい。
【００１７】
指向性スピーカ１５０−１〜１５０−４（以下、指向性スピーカ１５０とも示す）は、音声出力装置の一態様であって、例えば、指向性を有した音声（音波）を店舗の売り場に出力可能である。本実施形態においては、売り場に設置される指向性スピーカ１５０の数が４個の場合とするが、売り場に設けられる指向性スピーカ１５０の数を制限するものではなく、１個でもよいし、２個又は３個でもよいし、５個以上であってもよい。
【００１８】
本実施形態の指向性スピーカ１５０は、ホスト装置１００の制御によって、不審者に注意を促すように、不審者が存在する方向を向いた後に、当該不審者に対して指向性を有する音声を出力する。このように、指向性スピーカ１５０は、店舗の売り場内の所定の位置に音声を出力可能な構成となっている。
【００１９】
図２は、本実施形態の指向性スピーカ１５０の外観を例示した図である。図２に示されるように、指向性スピーカ１５０は、水平方向に１８０°回動可能であり、且つ垂直方向に１８０°回動可能とする。本実施形態では、指向性スピーカ１５０を、店舗の売り場内に４個設けることで、売り場内の任意の位置に対して音声を出力することを可能としている。
【００２０】
図３は、指向性スピーカ１５０の内部構成を例示した図である。図３に示されるように、指向性スピーカ１５０は、本体部１５０ａと、音声出力部１５０ｂと、を備えている。そして、本体部１５０ａと音声出力部１５０ｂとの間は、軸１５６で接続されている。
【００２１】
本体部１５０ａは、水平回転用モータ１５１ａと、制御部１５２と、回転軸１５５ａと、スリット付き円盤１５４ａと、位置決めセンサ１５３ａと、垂直回転用モータ１５１ｂと、回転軸１５５ｂと、スリット付き円盤１５４ｂと、位置決めセンサ１５３ｂと、を備えている。
【００２２】
制御部１５２は、ホスト装置１００から入力される制御情報に従って、水平回転、及び垂直回転を制御する。ホスト装置１００から入力される制御情報には、垂直方向における指示角、及び水平方向における指示角が含まれている。
【００２３】
水平回転用モータ１５１ａは、回転軸１５５ａを回転させることで本体部１５０ａを水平方向に回転させる。位置決めセンサ１５３ａは、スリット付き円盤１５４ａに設けられたスリットの検出結果に基づいた、本体部１５０ａの水平方向の回転角度を示す信号を、制御部１５２に出力する。
【００２４】
垂直回転用モータ１５１ｂは、回転軸１５５ｂを回転させることで音声出力部１５０ｂを垂直方向に回転させる。位置決めセンサ１５３ｂは、スリット付き円盤１５４ｂに設けられたスリットの検出結果に基づいた、音声出力部１５０ｂの垂直方向の回転角度を示す信号を、制御部１５２に出力する。
【００２５】
そして、制御部１５２は、位置決めセンサ１５３ａから信号として入力された水平方向の回転角度が、制御情報で示された水平方向の指示角になるように、水平回転用モータ１５１ａを回転制御する。また、制御部１５２は、位置決めセンサ１５３ｂから信号として入力された垂直方向の回転角度が、制御情報で示された垂直方向の指示角になるように、垂直回転用モータ１５１ｂを回転制御する。
【００２６】
上述した構成を備えることで、指向性スピーカ１５０は、指向性を有する音声を出力させる音声出力部１５０ｂが回転可能となる。
【００２７】
回転制御された指向性スピーカ１５０から音声を出力することで、不審者に対して注意を喚起することができる。ところで、指向性スピーカ１５０にも当然寿命は存在する。指向性スピーカ１５０は回転制御が頻繁に行われると、水平回転用モータ１５１ａ及び垂直回転用モータ１５１ｂに対する負荷が大きくなり、製品寿命が短くなる。このため、指向性スピーカ１５０の長く利用するためには、水平回転用モータ１５１ａ及び垂直回転用モータ１５１ｂの駆動時間を短縮させるのが望ましい。そこで、本実施形態においては、水平回転用モータ１５１ａ及び垂直回転用モータ１５１ｂの駆動時間を短縮させることが可能な不審者検出システム１について説明する。
【００２８】
図４は、本実施形態にかかる、指向性スピーカ１５０と、中継装置１２０と、ホスト装置１００と、のソフトウェア構成を例示した図である。
【００２９】
中継装置１２０は、アンプ３１１を備えている。中継装置１２０は、指向性スピーカ１５０とホスト装置１００との間の情報の送受信を中継すると共に、ホスト装置１００から出力された音声信号を増幅させるアンプ３１１を備えている。
【００３０】
指向性スピーカ１５０は、制御部１５２内にＣＰＵ（Central  Processing  Unit）と、ＲＯＭ（Read  Only  Memory）と、ＲＡＭ（Random  Access  Memory）と、を備えている。そして、ＲＯＭ内に設けられたプログラムを読み込むことで、水平回転用モータ制御部３２２と、水平回転角検出部３２３と、垂直回転用モータ制御部３２４と、垂直回転角検出部３２５と、通信部３２６と、出力制御部３２７と、を実現する。ＲＯＭは、読み書き可能な不揮発性記憶媒体とする。そして、ＲＯＭには、基準角記憶部３２１が備えられている。
【００３１】
基準角記憶部３２１には、音声を出力していない期間の音声出力部１５０ｂが向く基準角を示す基準角情報を記憶する。
【００３２】
基準角情報は、指向性スピーカ１５０が音声を出力していない期間の音声出力部１５０ｂの向き（以下、基準角とも称する）と、音声を出力する場合の音声出力部１５０ｂの向きと、の間の回転量に基づいて定められている。具体的な基準角については後述する。
【００３３】
通信部３２６は、ホスト装置１００との間の情報の送受信を制御する。例えば、通信部３２６は、ホスト装置１００から制御情報や、音声情報を受信する。
【００３４】
水平回転角検出部３２３は、位置決めセンサ１５３ａからの信号に基づいて、本体部１５０ａの水平方向の回転角を検出する。
【００３５】
水平回転用モータ制御部３２２は、制御情報を受信した場合に、水平回転角検出部３２３が検出した回転角が、水平方向の基準角から、制御情報に含まれている水平方向の指示角になるように、水平回転用モータ１５１ａの回転制御を行う。
【００３６】
垂直回転角検出部３２５は、位置決めセンサ１５３ａからの信号に基づいて、本体部１５０ａの水平方向の回転角を検出する。
【００３７】
垂直回転用モータ制御部３２４は、制御情報を受信した場合に、垂直回転角検出部３２５が検出した回転角が、垂直方向の基準角から、制御情報に含まれている垂直方向の指示角になるように、垂直回転用モータ１５１ｂの回転制御を行う。
【００３８】
制御情報に含まれる指示角になった後、出力制御部３２７は、通信部３２６を介して、ホスト装置１００から受信した音声情報に基づいた音声を、音声出力部１５０ｂから出力するよう制御する。
【００３９】
音声を出力した後、水平回転用モータ制御部３２２は、水平回転角検出部３２３が検出した回転角が、水平方向の基準角になるように、水平回転用モータ１５１ａの回転制御を行う。また、垂直回転用モータ制御部３２４は、垂直回転角検出部３２５が検出した回転角が、垂直方向の基準角になるように、垂直回転用モータ１５１ｂの回転制御を行う。
【００４０】
本実施形態は、上述したように、水平方向の基準角又は垂直方向の基準角から、指示角まで回転制御した後、再び指示角から、水平方向の基準角又は垂直方向の基準角まで回転制御が行われる。このため、水平方向の基準角及び垂直方向の基準角に適切な値を設定することで、回転制御量を低減することが可能となる。そこで、ホスト装置１００は、以下の構成を備えることとした。
【００４１】
ホスト装置１００は、ＣＰＵと、ＲＯＭと、ＲＡＭと、ＨＤＤ（Hard  Disk  Drive）を備えた情報処理装置である。そして、ホスト装置１００は、ＨＤＤ内に設けられたプログラムを読み込むことで、画像受信部３０１と、不審者検出部３０２と、不審者位置特定部３０３と、回転スピーカ特定部３０４と、回転角特定部３０５と、送信部３０６と、更新部３０８と、を実現する。また、ＨＤＤ内には、音声情報記憶部３０７と、履歴情報記憶部３０９と、を備えている。
【００４２】
画像受信部３０１は、監視カメラ１６０からの撮像画像データを受信する。
【００４３】
不審者検出部３０２は、受信した撮像画像データから、対象人物を周知の手法で検出する。不審者検出部３０２は、周知のトレース技術等の手法によって、検出された対象人物の追跡を行なう。これにより、対象人物ごとのデータの抽出が可能となる。
【００４４】
さらに、不審者検出部３０２は、対象人物毎に抽出されたデータに基づいて、検出された対象人物が、不審者であるか否かを判定する。不審者検出部３０２は、撮像画像データから対象人物の不審度を示すスコアを算出し、当該スコアに基づいて、対象人物が不審者か否かを判定する。不審度は、怪しさのレベルを示したものであり、不審度のスコアが高い程、対象人物の不審度が高いものとする。
【００４５】
不審者位置特定部３０３は、不審者検出部３０２によって不審者と判定された対象人物が存在する店舗の売り場における位置を特定する。
【００４６】
回転スピーカ特定部３０４は、不審者位置特定部３０３によって特定された不審者の位置に基づいて、当該不審者の方向に向かせる指向性スピーカ１５０を、指向性スピーカ１５０―１〜１５０−４から特定する。指向性スピーカ１５０の特定手法はどのような手法を用いてもよく、例えば、不審者に最も近い指向性スピーカを特定する等が考えられる。
【００４７】
回転角特定部３０５は、回転スピーカ特定部３０４によって特定された指向性スピーカ１５０の位置と、不審者の位置と、に基づいて、不審者の方向に音声出力部１５０ｂを向かせるための水平方向の回転角、及び垂直方向の回転角を特定する。本実施形態では、特定された回転角を、指向性スピーカ１５０を回転制御するための指示角と称する。
【００４８】
送信部３０６は、回転スピーカ特定部３０４によって特定された指向性スピーカ１５０に対して制御情報を送信する。さらに、送信部３０６は、特定された指向性スピーカ１５０に対して、音声情報記憶部３０７に記憶されている音声情報を送信する。
【００４９】
本実施形態においては不審者に音声を出力するために指向性スピーカ１５０を制御する。まず、送信部３０６は、水平方向及び垂直方向の各々について、指向性スピーカ１５０の基準角から、指示角を向かせる第１の制御情報を、指向性スピーカ１５０に送信する。
【００５０】
水平方向及び垂直方向の各々について、指向性スピーカ１５０の音声出力部１５０ｂが指示角を向いた後、送信部３０６は、音声情報記憶部３０７に記憶されている音声情報を、指向性スピーカ１５０に送信する。送信された音声情報は、中継装置１２０のアンプ３１１で増幅される。そして、指向性スピーカ１５０の通信部３２６が、当該音声情報を受信し、出力制御部３２７が、当該音声情報を音声出力部１５０ｂから出力する制御を行う。出力される音声は、不審者に注意を促す音声であれば、どのような音声でもよい。
【００５１】
音声出力部１５０ｂから音声が出力された後、送信部３０６は、音声出力部１５０ｂを指示角から、基準角を向かせる第２の制御情報を、指向性スピーカ１５０に送信する。
【００５２】
更新部３０８は、送信部３０６が送信した第１の制御情報に含まれている指示角を、履歴情報記憶部３０９の履歴情報データベースに登録する。
【００５３】
履歴情報データベースは、所定期間における、第１の制御情報に含まれている指示角の履歴を記憶する。換言すれば、履歴情報データベースは、音声を出力したときに音声出力部１５０ｂが向いていた角度の履歴を記憶していることとなる。所定期間は、どのような期間であってもよく、例えば、一ヶ月や一週間でもよいし、店舗が開店してから現在までであってもよい。
【００５４】
本実施形態は、履歴情報データベースに記憶されている、音声を出力したときに音声出力部１５０ｂが向いていた角度の履歴に基づいて、基準角を設定する。そこで、基準角の設定手法について説明する。本実施形態の履歴情報データベースは、角度の履歴を、指向性スピーカ１５０−１〜１５０−４毎に記憶する。
【００５５】
図５は、本実施形態の指向性スピーカ１５０の垂直方向の角度を例示した図である。図５に示されるように、指向性スピーカ１５０は、−９０°〜９０°まで回動可能とする。本実施形態の指向性スピーカ１５０は、−９０°〜９０°のうちいずれの角度であっても、音声を出していない期間の基準角として設定可能である。このため、音声出力部１５０ｂが向いていた角度の履歴に基づいて、垂直回転用モータ制御部３２４の駆動時間が短くなるように、垂直方向の基準角を設定する。次に、説明を容易にするために、０〜９０°の間で基準角を設定する例について説明する。
【００５６】
図６は、本実施形態の履歴情報データベースに記憶されている、音声を出力させる際に音声出力部１５０ｂを向かせた角度の頻度を例示した図である。図６に示される例では、５０°がピークとなっている。
【００５７】
本実施形態は、音声を出力したときに音声出力部１５０ｂが向いた角度の履歴に基づいて基準角を設定する一例として、音声出力部１５０ｂが向いていた角度の頻度に基づいて基準角を設定する。
【００５８】
本実施形態においては、更新部３０８が、指向性スピーカ１５０毎に、履歴情報データベースに記憶されている角度のうち、頻度が最も多い角度を、基準角として基準位置情報保持部に登録する。さらに、送信部３０６が、基準位置情報保持部に登録された基準角を、当該基準角が登録された指向性スピーカ１５０に送信する。
【００５９】
指向性スピーカ１５０の通信部３２６は、基準角を受信した場合に、受信した基準角記憶部３２１に記憶させる。
【００６０】
図７は、基準角０°が設定された際に、図６で示された角度履歴の場合の回転移動量を説明した図である。図７に示される例では、基準角と、指示角と、回転移動量と、を対応づけている。回転移動量は、指示角と基準角の往復角度（（指示角−基準角）×２）に、図６の頻度の割合（頻度／１００）を乗じた値とする。そして、基準角０°が設定された場合の回転移動量の合計値は、３６７となる。
【００６１】
図８は、基準角５０°が設定された際に、図６で示された角度の頻度の場合の回転移動量を説明した図である。図８に示される例では、基準角と、指示角と、回転移動量と、を対応づけている。そして、基準角５０°が設定された場合の回転移動量の合計値は、１１４となる。
【００６２】
このように、向く頻度が最も多い角度を基準角として設定することで、垂直回転用モータ制御部３２４の駆動時間を短縮できる。
【００６３】
上述した例では、０°〜９０°の間で基準角を設定する例について説明したが、−９０°〜９０°の間であっても同様の手法で基準角を設定できる。なお、水平方向の基準角も同様の手法で設定するものとして説明を省略する。次に、具体的な処理手順について説明する。
【００６４】
図９は、本実施形態のホスト装置１００における、指向性スピーカ１５０の音声出力部１５０ｂを制御する際の処理手順を示したフローチャートである。
【００６５】
まずは、画像受信部３０１が、監視カメラ１６０からの撮像画像データを受信する（Ｓ９０１）。
【００６６】
次に、不審者検出部３０２が、撮像画像データから、不審者を検出する（Ｓ９０２）。検出手法は、上述したとおりとして説明を省略する。
【００６７】
不審者位置特定部３０３は、検出された不審者が存在する、店舗の売り場における位置を示した位置情報を特定する（Ｓ９０３）。
【００６８】
回転スピーカ特定部３０４は、不審者の位置情報に基づいて、当該不審者の方向に向かせる指向性スピーカ１５０を特定する（Ｓ９０４）。
【００６９】
回転角特定部３０５は、不審者の方向に音声出力部１５０ｂを向かせるための水平方向の回転角、及び垂直方向の指示角を特定する（Ｓ９０５）。
【００７０】
送信部３０６は、特定された指向性スピーカ１５０に対して、不審者の方向を向かせるための、水平方向及び垂直方向の指示角を含む第１の制御情報を送信する（Ｓ９０６）。これにより、指向性スピーカ１５０は、水平方向及び垂直方向について基準角から指示角まで回転する。
【００７１】
送信部３０６は、特定された指向性スピーカ１５０に対して、音声情報記憶部３０７に記憶されている音声情報を送信する（Ｓ９０７）。
【００７２】
送信部３０６は、音声出力部１５０ｂを指示角から、基準角を向かせる第２の制御情報を、指向性スピーカ１５０に送信する（Ｓ９０８）。
【００７３】
更新部３０８は、第１の制御情報に含まれている指示角を、履歴情報記憶部３０９の履歴情報データベースに登録する（Ｓ９０９）。
【００７４】
本実施形態においては上述した処理手順によって、指向性スピーカ１５０は基準角と指示角との間を往復すると共に、指向性スピーカ１５０が向いた角度の履歴を保持できる。
【００７５】
図１０は、本実施形態のホスト装置１００における、基準角の設定手順を示したフローチャートである。
【００７６】
まず、更新部３０８は、所定のタイミングにおいて、履歴情報記憶部３０９から、所定期間における、音声出力部１５０ｂが向いた角度の履歴情報を、指向性スピーカ１５０毎に抽出する（Ｓ１００１）。
【００７７】
更新部３０８は、履歴情報において、音声出力部１５０ｂが向いた角度の頻度に基づいて、基準角を、指向性スピーカ１５０毎に特定する（Ｓ１００２）。特定された基準角は、履歴情報記憶部３０９の基準角情報保持部に記憶される。
【００７８】
そして、送信部３０６は、特定された基準角を、指向性スピーカ１５０毎に送信する（Ｓ１００３）。これにより、指向性スピーカ１５０の基準角記憶部３２１に、ホスト装置１００から送信された基準角が記憶される。
【００７９】
上述した処理手順によって、音声出力部１５０ｂが向いた角度の頻度に基づいた基準角が設定される。
【００８０】
本実施形態の指向性スピーカ１５０は、音声情報を出力した後に、基準角に戻る例について説明したが、基準角を戻るタイミングを制限するものではない。例えば、音声情報を出力した後、再度音声を出力する可能性がある場合について、指示角で所定時間待機してもよい。
【００８１】
これにより、本実施形態においては、垂直回転用モータ１５１ｂ、及び水平回転用モータ１５１ａの駆動時間を短縮し、長寿命化を実現できる。
【００８２】
（第１の実施形態の変形例）
第１の実施形態においては、音声出力部１５０ｂを向かせた角度の頻度のピークが一つの場合について説明した。しかしながら、音声出力部１５０ｂを向かせた角度の頻度のピークが複数存在することもある。そこで、第１の実施形態の変形例では、音声出力部１５０ｂを向かせた角度の頻度のピークが複数存在する場合について説明する。
【００８３】
図１１は、本実施形態の変形例の履歴情報データベースに記憶されている、音声を出力させる際に音声出力部１５０ｂを向かせた角度の頻度を例示した図である。図１１に示される例では、２０°と８０°がピークとなっている。
【００８４】
このような場合には、更新部３０８は、基準角として、２０°と８０°を特定する。そして、送信部３０６は、特定された基準角２０°と８０°を送信する。指向性スピーカ１５０の基準角記憶部３２１に、ホスト装置１００から送信された基準角が記憶される。それ以降、指向性スピーカ１５０においては、音声出力部１５０ｂが音声を出力した後、水平回転用モータ制御部３２２、又は垂直回転用モータ制御部３２４は、基準角２０°及び８０°のうちいずれか近い方まで移動するように回転制御を行う。これによって、水平回転用モータ制御部３２２、又は垂直回転用モータ制御部３２４の駆動時間を短縮できる。
【００８５】
また、音声出力部１５０ｂを向かせた角度の頻度のピークが複数存在する場合の制御を上述した制御に制限するものではない。例えば、更新部３０８は、履歴情報データベースから抽出した履歴情報に複数のピークが存在した場合に、更新部３０８は、ピークとなる複数の角度の平均値を、基準値として特定してもよい。例えば、更新部３０８は、ピークが２０°と８０°との平均値である、５０°を基準値として特定する。
【００８６】
（第２の実施形態）
第１の実施形態においては、音声出力部１５０ｂが向いた角度の頻度に基づいて基準角を設定する例について説明した。しかしながら、基準角の設定手法は、音声出力部１５０ｂが向いた角度の頻度に基づいて設定する手法に制限するものではない。そこで第２の実施形態においては、音声出力部１５０ｂが向いた角度の平均値に基づいて基準角を設定する例とする。なお、第２の実施形態の構成は、第１の実施形態と同様として説明を省略する。
【００８７】
図１２は、第２の実施形態の履歴情報記憶部３０９の履歴情報データベースに記憶されている、音声を出力させる際に音声出力部１５０ｂを向かせた指示角の履歴を例示した図である。図１２に示される例では、１０月１日〜１０月８日までの間に、音声出力部１５０ｂに出力された指示角を示している。本実施形態の更新部３０８は、指向性スピーカ１５０毎に、先週一週間（例えば、１０月１日〜１０月７日までの間）の指示角の平均値を、今週の基準角として特定する。そして、送信部３０６は、特定された基準角を、指向性スピーカ１５０毎に送信する。
【００８８】
図１３は、本実施形態のホスト装置１００における、基準角の設定手順を示したフローチャートである。
【００８９】
まず、更新部３０８は、所定のタイミングにおいて、履歴情報記憶部３０９から、所定期間における、音声出力部１５０ｂが向いた角度の履歴情報を、指向性スピーカ１５０毎に抽出する（Ｓ１３０１）。
【００９０】
更新部３０８は、履歴情報において、音声出力部１５０ｂが向いた指示角の平均値を、基準角として指向性スピーカ１５０毎に特定する（Ｓ１３０２）。特定された基準角は、履歴情報記憶部３０９の基準角情報保持部に記憶される。
【００９１】
そして、送信部３０６は、特定された基準角を、指向性スピーカ１５０毎に送信する（Ｓ１３０３）。これにより、指向性スピーカ１５０の基準角記憶部３２１に、ホスト装置１００から送信された基準角が記憶される。
【００９２】
上述した処理手順によって、音声出力部１５０ｂが向いた角度の頻度に基づいた基準角が設定される。
【００９３】
これにより、本実施形態においては、垂直回転用モータ１５１ｂ、及び水平回転用モータ１５１ａの駆動時間を短縮し、長寿命化を実現できる。
【００９４】
（第３の実施形態）
上述した実施形態においては、履歴情報に基づいて基準角を設定する例について説明した。しかしながら、指向性スピーカ１５０が壁際に設置される場合等、指向性スピーカ１５０の可動領域が狭い場合においては、履歴情報を用いることなく、基準角を設定することも考えられる。第３の実施形態においては、店内に設けられた指向性スピーカ１５０のうち、壁側に設定された指向性スピーカ１５０については、履歴情報を用いない例について説明する。
【００９５】
図１４は、本実施形態の指向性スピーカ１５０の稼働領域を例示した図である。図１４に示される例では、壁近傍に指向性スピーカ１５０が設けられたため、垂直方向に０°から９０°まで回動可能とする。このような位置に指向性スピーカ１５０が設けられた場合に、更新部３０８は、当該指向性スピーカ１５０の基準角４５°を特定する。そして、送信部３０６は、壁近傍に設けられた指向性スピーカ１５０に対して、基準角４５°を送信する。これにより、壁近傍に設けられた指向性スピーカ１５０について基準角４５°が設定される。
【００９６】
図１５は、壁近傍に設けられた指向性スピーカ１５０に基準角０°が設定された際の回転移動量を例示した図である。図１５に示される例では、基準角と、指示角と、回転移動量と、を対応づけている。図１５に示されるような基準角０°が設定された例では、回転移動量の合計値は、９００となる。
【００９７】
図１６は、壁近傍に設けられた指向性スピーカ１５０に基準角４５°が設定された際の回転移動量を例示した図である。図１５に示される例と、図１６に示される例と、では受信した指示角は同じものとする。そして、図１６に示されるような基準角４５°が設定された例では、回転移動量の合計値は、５００となる。
【００９８】
このように、壁近傍に設けられた指向性スピーカ１５０においては稼働領域が狭いため、履歴情報を用いずとも、回転移動量が少なくなる基準角を設定できる。
【００９９】
本実施形態においては、壁近傍に設けられた指向性スピーカ１５０に基準角４５°を設定し、その他の指向性スピーカ１５０について履歴情報に基づいて基準角を設定している。このように、指向性スピーカ１５０が設けられた位置に応じて、履歴情報を用いて基準角を設定するか否かを切り換えることを可能とする。これにより、指向性スピーカ１５０毎に全ての履歴情報を保持する必要がないため、記憶領域の低減と、稼働時間の短縮による高寿命化と、の両立を実現できる。
【０１００】
上述した実施形態においては、履歴情報データベースをホスト装置１００側で保持する例について説明したが、指向性スピーカ１５０が、音声出力部１５０ｂが向いた角度の履歴を履歴情報データベースとして保持してもよい。このような場合、指向性スピーカ１５０内に設けられた更新部が、音声出力部１５０ｂが向いた角度の頻度又は平均値に基づいて基準角を特定し、当該基準角を基準角記憶部３２１に記憶させる。これにより、上述した実施形態と同様の効果を得ることができる。
【０１０１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０２】
１００…ホスト装置、１２０…中継装置、１３０…ハブ、１５０…指向性スピーカ、１６０…監視カメラ、３０１…画像受信部、３０２…不審者検出部、３０３…不審者位置特定部、３０４…回転スピーカ特定部、３０５…回転角特定部、３０６…送信部、３０７…音声情報記憶部、３０８…更新部、３０９…履歴情報記憶部、３１１…アンプ、３２１…基準角記憶部、３２２…水平回転用モータ制御部、３２３…水平回転角検出部、３２４…垂直回転用モータ制御部、３２５…垂直回転角検出部、３２６…通信部、３２７…出力制御部。
【要約】      （修正有）【課題】音声出力部の稼働時間の短縮による高寿命化を実現する情報処理システム及び情報処理装置を提供する。【解決手段】不審者検出システムは、音声を出力していない期間の音声出力部の向きと、音声を出力する場合の音声出力部の向きと、の間の回転量に基づいて定められた、音声を出力していない期間の音声出力部が向く角度を示す基準角情報を記憶する基準角記憶部３２１を含み、指向性を有する音声を出力させる音声出力部が回転可能な音声出力装置（指向性スピーカ１５０）と、基準角情報で示される角度から第１の角度を向かせる第１の制御情報を音声出力装置に送信し、音声出力装置の音声出力部が当該第１の角度を向いた後に出力する音声を示す情報を音声出力装置に送信し、音声出力部を基準角情報で示される角度まで回転させる第２の制御情報を音声出力装置に送信する送信部３０６を含むホスト装置１００と、を備える。【選択図】図４【図１】
0006773990.tif 000002
【図２】
0006773990.tif 000003
【図３】
0006773990.tif 000004
【図４】
0006773990.tif 000005
【図５】
0006773990.tif 000006
【図６】
0006773990.tif 000007
【図７】
0006773990.tif 000008
【図８】
0006773990.tif 000009
【図９】
0006773990.tif 000010
【図１０】
0006773990.tif 000011
【図１１】
0006773990.tif 000012
【図１２】
0006773990.tif 000013
【図１３】
0006773990.tif 000014
【図１４】
0006773990.tif 000015
【図１５】
0006773990.tif 000016
【図１６】
0006773990.tif 000017